(57)【要約】【課題】運搬にかかる煩雑さを低減することができる情報機器及びスタンドを提供する。【解決手段】本体３と、表示装置５と、ＡＣアダプタ７１と、表示装置５の背面を支持する支柱１０３と、支柱１０３を支える台座１０１と、支柱１０３の表示装置５側とは反対側に設けられたベース部１２１を有するホルダ１１と、を備え、ホルダ１１は、ベース部１２１からベース部１２１の支柱１０３側とは反対側に延び、本体３が載置される載置部１２５と、載置部１２５に相対して延びるように設けられ、本体３が載置部１２５に載置されたときに本体３を介して載置部１２５に相対する側で本体３を支える腕部１２７と、腕部１２７の載置部１２５側とは反対側に位置する把持部１２３と、を有しており、載置部１２５と支柱１０３と台座１０１とによって囲まれる領域に、ＡＣアダプタ７１を収容可能に構成されている。【選択図】図９
2008176599.tif 000002
【特許請求の範囲】
【請求項１】
本体と、前記本体からの表示信号に基づいて表示を行う表示装置と、交流電力を直流電力に変換して、前記直流電力を前記本体に供給するＡＣアダプタと、前記表示装置の表示面とは反対側の背面を支持する支柱と、前記支柱が立てられた状態で前記支柱を支える台座と、前記支柱の前記表示装置側とは反対側に設けられたベース部を有する把手具と、を備え、
前記把手具は、前記台座から浮いた状態で、前記ベース部から該ベース部の前記支柱側とは反対側に延び、前記本体が載置される載置部と、前記載置部に相対して延びるように前記ベース部に設けられ、前記本体が前記載置部に載置されたときに前記本体を介して前記載置部に相対する側で当該本体を支える腕部と、前記ベース部に設けられ、前記腕部の前記載置部側とは反対側に位置する把持部と、を有しており、
前記載置部と前記支柱と前記台座とによって囲まれる領域に、前記ＡＣアダプタを収容可能に構成されていることを特徴とする情報機器。
【請求項２】
前記ベース部は、前記支柱に対して着脱可能に設けられていることを特徴とする請求項１に記載の情報機器。
【請求項３】
前記載置部は、前記ＡＣアダプタが前記載置部と前記支柱と前記台座とによって囲まれる前記領域に収容されたときに、前記ベース部を起点として、前記ベース部の前記支柱側とは反対側である後方に前記ＡＣアダプタを越えて延びているとともに、前記ＡＣアダプタを前記後方に越えた位置に、前記台座側に向かって凸となる突起が設けられていることを特徴とする請求項１又は２に記載の情報機器。
【請求項４】
前記載置部、前記支柱、前記台座及び前記突起のうちの少なくとも１つには、前記ＡＣアダプタが前記領域に収容されたときに当該ＡＣアダプタに相対する部位に、滑り止めが設けられていることを特徴とする請求項３に記載の情報機器。
【請求項５】
前記滑り止めは、シート状の弾性体で構成されていることを特徴とする請求項４に記載の情報機器。
【請求項６】
本体からの表示信号に基づいて表示を行う表示装置と、前記表示装置の表示面とは反対側の背面を支持する支柱と、前記支柱を支える台座と、前記支柱の前記表示装置側とは反対側に設けられたベース部を有する把手具と、を備え、
前記把手具は、前記ベース部から、該ベース部の前記支柱側とは反対側に延び、前記本体が載置される載置部と、前記載置部に相対して延びるように前記ベース部に設けられ、前記本体が前記載置部に載置されたときに前記本体を介して前記載置部に相対する側で当該本体を支える腕部と、前記ベース部に設けられ、前記腕部の前記載置部側とは反対側に位置する把持部と、を有しており、
前記載置部と前記支柱と前記台座とによって囲まれる領域に、交流電力を直流電力に変換して、前記直流電力を前記本体に供給するＡＣアダプタを収容可能に構成されていることを特徴とするスタンド。
【発明の詳細な説明】
【技術分野】
【０００１】
本発明は、情報機器に関し、特に、表示信号に基づいて表示を行う表示装置と、表示信号を生成する本体とをまとめて運搬するのに好適な情報機器、及びスタンドに関する。
【背景技術】
【０００２】
従来、画像表示装置とコンピュータ本体とを前後に配置したときに、設置に必要な面積を削減することができる情報処理装置が知られている（例えば、特許文献１参照）。
【０００３】
【特許文献１】特許第３６５５４５９号公報（第３頁、図１、図４）
【発明の開示】
【発明が解決しようとする課題】
【０００４】
上記特許文献１に記載された情報処理装置では、本体スタンド部を介してコンピュータ本体を設置面に設置したときにコンピュータ本体と設置面との間に形成される空間部に、液晶ディスプレイ装置スタンド部の後部突起部を挿入することにより、設置面積の削減が図られる。
【０００５】
しかしながら、この情報処理装置では、コンピュータ本体と、液晶ディスプレイ装置スタンド部とが連結されていないので、情報処理装置を他の場所へ移動させるときには、コンピュータ本体と、液晶ディスプレイ装置スタンド部とを別々に運ばなくてはならないという煩わしさがある。さらに、コンピュータ本体には、本体をコンパクトにするため等の理由で、ＡＣアダプタを介して直流電力が供給されるものもある。ＡＣアダプタは、コンピュータ本体にケーブルを介して接続されることが多い。上記特許文献１に記載された情報処理装置では、このようなＡＣアダプタが接続されると、運搬の際に一層煩わしさが増す。つまり、上記特許文献１に記載された情報処理装置では、運搬にかかる煩雑さを低減することが困難であるという未解決の課題がある。
【０００６】
本発明は、この未解決の課題に着目してなされたものであり、運搬にかかる煩雑さを低減することができる情報機器及びスタンドを提供することを目的とする。
【課題を解決するための手段】
【０００７】
本発明の情報機器は、本体と、前記本体からの表示信号に基づいて表示を行う表示装置と、交流電力を直流電力に変換して、前記直流電力を前記本体に供給するＡＣアダプタと、前記表示装置の表示面とは反対側の背面を支持する支柱と、前記支柱が立てられた状態で前記支柱を支える台座と、前記支柱の前記表示装置側とは反対側に設けられたベース部を有する把手具と、を備え、前記把手具は、前記台座から浮いた状態で、前記ベース部から該ベース部の前記支柱側とは反対側に延び、前記本体が載置される載置部と、前記載置部に相対して延びるように前記ベース部に設けられ、前記本体が前記載置部に載置されたときに前記本体を介して前記載置部に相対する側で当該本体を支える腕部と、前記ベース部に設けられ、前記腕部の前記載置部側とは反対側に位置する把持部と、を有しており、前記載置部と前記支柱と前記台座とによって囲まれる領域に、前記ＡＣアダプタを収容可能に構成されていることを特徴とする。
【０００８】
この構成によれば、支柱、台座及び把手具を介して、本体、表示装置及びＡＣアダプタを一体的にまとめることができる。この把手具には、把持部が設けられているため、この把持部を把持することで、本体、表示装置及びＡＣアダプタをまとめた状態で持ち上げやすくすることができる。これにより、本体、表示装置及びＡＣアダプタの運搬にかかる煩雑さを低減することができる。
【０００９】
上記の情報機器では、前記ベース部は、前記支柱に対して着脱可能に設けられていてもよい。
【００１０】
この構成によれば、ベース部が支柱に対して着脱可能に設けられているので、把手具を交換することができる。これにより、例えば、本体を、この本体とは異なる寸法を有する他の本体に交換したい場合、他の本体に適合する把手具を用いることで、交換にかかる費用が低く抑えられる。
【００１１】
上記の情報機器では、前記載置部は、前記ＡＣアダプタが前記載置部と前記支柱と前記台座とによって囲まれる前記領域に収容されたときに、前記ベース部を起点として、前記ベース部の前記支柱側とは反対側である後方に前記ＡＣアダプタを越えて延びているとともに、前記ＡＣアダプタを前記後方に越えた位置に、前記台座側に向かって凸となる突起が設けられていてもよい。
【００１２】
この構成によれば、ＡＣアダプタが載置部と支柱と台座とによって囲まれる領域に収容されたときに、ＡＣアダプタが後方に向かって傾いたり滑ったりしても、ＡＣアダプタが載置部に設けられた突起に引っ掛かるため、ＡＣアダプタの転倒や滑落を低く抑えることが可能となる。
【００１３】
上記の情報機器では、前記載置部、前記支柱、前記台座及び前記突起のうちの少なくとも１つには、前記ＡＣアダプタが前記領域に収容されたときに当該ＡＣアダプタに相対する部位に、滑り止めが設けられていてもよい。
【００１４】
この構成によれば、ＡＣアダプタが載置部と支柱と台座とによって囲まれる領域に収容されたときに、ＡＣアダプタの滑りが低く抑えられるため、ＡＣアダプタの滑落を一層低く抑えることが可能となる。
【００１５】
上記の情報機器では、前記滑り止めは、シート状の弾性体で構成されていてもよい。
【００１６】
この構成によれば、滑り止めが弾性を有しているので、ＡＣアダプタと、衝突や衝撃がやわらげられる。また、滑り止めがシート状であるため、滑り止めを設けるのにかかるスペースが大型化してしまうことを低く抑えることができる。
【００１７】
本発明のスタンドは、本体からの表示信号に基づいて表示を行う表示装置と、前記表示装置の表示面とは反対側の背面を支持する支柱と、前記支柱を支える台座と、前記支柱の前記表示装置側とは反対側に設けられたベース部を有する把手具と、を備え、前記把手具は、前記ベース部から、該ベース部の前記支柱側とは反対側に延び、前記本体が載置される載置部と、前記載置部に相対して延びるように前記ベース部に設けられ、前記本体が前記載置部に載置されたときに前記本体を介して前記載置部に相対する側で当該本体を支える腕部と、前記ベース部に設けられ、前記腕部の前記載置部側とは反対側に位置する把持部と、を有しており、前記載置部と前記支柱と前記台座とによって囲まれる領域に、交流電力を直流電力に変換して、前記直流電力を前記本体に供給するＡＣアダプタを収容可能に構成されていることを特徴とする。
【００１８】
この構成によれば、支柱、台座及び把手具を介して、本体、表示装置及びＡＣアダプタを一体的にまとめることができる。この把手具には、把持部が設けられているため、この把持部を把持することで、本体、表示装置及びＡＣアダプタをまとめた状態で持ち上げやすくすることができる。これにより、本体、表示装置及びＡＣアダプタの運搬にかかる煩雑さを低減することができる。
【発明を実施するための最良の形態】
【００１９】
本発明の実施形態を、情報機器の１つであるパーソナルコンピュータ（以下、コンピュータと呼ぶ）を例に、図面を参照しながら説明する。
本実施形態におけるコンピュータ１は、斜視図である図１に示すように、本体３と、表示装置５と、スタンド９と、ホルダ１１とを備えている。なお、本実施形態の説明では、図１中のＣ方向を後方と呼び、Ｄ方向を前方と呼び、Ｅ方向を上方と呼び、Ｆ方向を下方と呼ぶ。
【００２０】
コンピュータ１は、ブロック図である図２に示すように、本体３内に、ＣＰＵ（Central Processing Unit）２１と、ＲＯＭ（Read Only Memory）２３と、ＲＡＭ（Random Access Memory）２５と、ＨＤＤ（Hard Disc Drive）２７と、ＯＤＤ（Optical Disc Drive）２９と、入力コントローラ４１と、表示コントローラ４３と、電源スイッチ４５と、電源回路４７と、電源インタフェース（以下、電源Ｉ／Ｆと呼ぶ）４９とを備えている。ＣＰＵ２１、ＲＯＭ２３、ＲＡＭ２５、ＨＤＤ２７、ＯＤＤ２９、入力コントローラ４１、表示コントローラ４３及び電源Ｉ／Ｆ４９は、バス５１を介して相互に接続されている。
【００２１】
ＣＰＵ２１は、上記の各構成の制御や演算処理を実施する。ＲＯＭ２３は、オペレーティングシステムなどのプログラムが格納されている。ＲＡＭ２５は、ＣＰＵ２１によって実行される各種のプログラムや、演算処理における各種のデータが一時的に展開される。ＨＤＤ２７は、各種のアプリケーションソフトウェアなどのプログラムやデータが格納されている。
【００２２】
ＯＤＤ２９は、ＣＤ（Compact Disc）や、ＤＶＤ（Digital Versatile Disc）などの光ディスク５５に格納されているデータを読み込んだり、光ディスク５５にデータを書き込んだりする。ＣＰＵ２１は、ＨＤＤ２７やＯＤＤ２９に適宜アクセスして、各種プログラムやデータを参照することができる。
【００２３】
ここで、コンピュータ１は、本体３にキーボード５７やマウス５９などの入力装置が接続されることにより、データなどの入力操作における利便性の向上が図られる。これらのキーボード５７やマウス５９は、各ケーブル５７ａ及び５９ａを介して入力コントローラ４１に接続される。入力コントローラ４１は、キーボード５７やマウス５９を介して入力されたデータをＣＰＵ２１に送る。なお、図１には、キーボード５７及びマウス５９を図示したが、この図１では、キーボード５７の各キーの図示、並びに各ケーブル５７ａ及び５９ａの図示を省略した。
【００２４】
表示装置５は、ＲＡＭ２５に格納されたデータを表示する装置であり、ケーブル５ａを介して表示コントローラ４３に接続されている。表示コントローラ４３は、ＲＡＭ２５に格納されたデータに基づく表示信号を生成する。そして、表示コントローラ４３は、表示装置５の駆動を制御して、表示装置５に、表示信号に基づく表示をさせる。
【００２５】
電源回路４７には、ケーブル７１ａを介してＡＣアダプタ７１が接続されている。ＡＣアダプタ７１は、交流電源７２からの交流電力を直流電力に変換する。ＡＣアダプタ７１によって変換された直流電力は、ケーブル７１ａを介して電源回路４７に供給される。電源回路４７は、電源スイッチ４５がＯＮ状態のときに、ＡＣアダプタ７１からケーブル７１ａを介して直流電力が供給され得る。そして、電源回路４７は、ＡＣアダプタ７１から供給される直流電力を、電源Ｉ／Ｆ４９を介して上記の各構成に供給する。
【００２６】
本体３は、６面体状の形態を有しており、図１中のＡ視方向における側面図である図３（ａ）に示すように、電源スイッチボタン７３と、スロット部７５とが設けられた操作面３ａを有している。電源スイッチボタン７３は、動作状態が電源スイッチ４５の作動状態に連動している。つまり、電源スイッチ４５は、電源スイッチボタン７３がＯＮ状態に操作されるとＯＮ状態になり、電源スイッチボタン７３がＯＦＦ状態に操作されるとＯＦＦ状態になる。スロット部７５は、光ディスク５５のＯＤＤ２９への挿入口である。光ディスク５５は、このスロット部７５を介して、ＯＤＤ２９へ挿入されたり、ＯＤＤ２９から取り出されたりする。
【００２７】
ここで、ＣＤやＤＶＤなどのディスクを駆動するドライブ装置において、ドライブ装置へのディスクの挿入方式として、トレイ方式とスロットイン方式とが一般的である。トレイ方式のドライブ装置は、ディスクが載置されるとともに、進退可能に構成されたトレイを内蔵している。トレイ方式では、このトレイの進退によって、ディスクの挿入や取り出しが可能になる。一方、スロットイン方式のドライブ装置では、ディスクをドライブ装置に直接的に挿入したり、ドライブ装置から直接的に排出させたりすることができる。なお、本実施形態では、ＯＤＤ２９への光ディスク５５の挿入方式として、スロット部７５を介してＯＤＤ２９に光ディスク５５を直接的に挿入可能なスロットイン方式を採用している。
【００２８】
本体３の操作面３ａとは反対側には、図１中のＢ視方向における側面図である図３（ｂ）に示すように、キーボード５７、マウス５９、表示装置５、ＡＣアダプタ７１のそれぞれが、各ケーブル５７ａ、５９ａ、５ａ及び７１ａを介して接続される各接続口５７ｂ、５９ｂ、５ｂ及び７１ｂが設けられている。なお、これらの接続口５７ｂ、５９ｂ、５ｂ及び７１ｂが設けられている面をケーブル接続面３ｂと呼ぶ。
【００２９】
表示装置５は、正面図である図４（ａ）に示すように、表示パネル９１と、筐体９３とを備えている。表示パネル９１は、正面側から表示面９２を視認可能な状態で筐体９３に収容されている。表示パネル９１としては、例えば、液晶表示パネルや有機ＥＬ表示パネルなどが採用され得る。また、表示装置５は、背面図である図４（ｂ）に示すように、筐体９３の背面９４に４つのねじ穴９５が設けられている。表示装置５は、これらのねじ穴９５にねじがはめられることによって、背面９４が後述するスタンド９に支持される。
【００３０】
スタンド９は、図１中のＡ視方向における側面図である図５（ａ）に示すように、台座１０１と、支柱１０３と、支持板１０７とを備えている。台座１０１は、例えば机などの天板上に載置され、支柱１０３の一端側を支えている。支柱１０３の一端側すなわち台座１０１側には、背面１０４にシート状の滑り止め１０５が設けられている。この滑り止め１０５は、例えばゴムやエラストマなどの弾性体をシート状に形成したものが採用され得る。本実施形態では、滑り止め１０５は、支柱１０３の背面１０４に貼付されている。
【００３１】
支柱１０３の台座１０１側とは反対側の他端側には、図示しないヒンジが設けられている。このヒンジは、支持板１０７をスタンド９の正面側で支えている。つまり、支持板１０７と支柱１０３とは、支持板１０７が支柱１０３に対して図中矢印方向に回動自在に連結されている。
【００３２】
支持板１０７は、スタンド９の正面図である図５（ｂ）に示すように、４つの貫通孔１０９と、４つの貫通孔１１１とが設けられている。４つの貫通孔１０９は、それぞれ、前述した表示装置５の４つのねじ穴９５のそれぞれに整合する位置に設けられている。そして、表示装置５は、４つのねじ穴９５が４つの貫通孔１０９に整合する位置で、且つ表示装置５の背面９４側と支持板１０７の正面側とが合わせられた状態で、支持板１０７の背面側から挿入された４つのねじによって支持板１０７に固定される。支持板１０７に固定された表示装置５は、上述したヒンジによって、図６（ａ）に示す正視状態から、図６（ｂ）に示す上向き状態までの範囲でチルト調整が可能となる。
【００３３】
ここで、４つの貫通孔１１１は、図５（ｂ）に示すように、４つの貫通孔１０９が設けられている位置とは異なる位置に、すなわち４つの貫通孔１０９からずれた位置に設けられている。さらに、４つの貫通孔１１１同士間の間隔は、４つの貫通孔１０９同士間の間隔よりも短い。これら４つの貫通孔１１１は、表示装置５とは異なるサイズを有する他の表示装置の固定に使用される。つまり、支持板１０７には、サイズが異なる複数種類の表示装置のそれぞれが固定され得る。これにより、スタンド９の共通化が図られ、例えば、表示装置５を他の表示装置に交換したい場合でも、スタンド９をそのまま使用することができる。従って、交換にかかる費用を低く抑えることが可能となる。
【００３４】
ホルダ１１は、斜視図である図７（ａ）に示すように、ベース部１２１と、把持部１２３と、載置部１２５と、腕部１２７とを有している。ベース部１２１には、４つの貫通孔１２９が形成されている。把持部１２３は、図７（ａ）で見て、ベース部１２１の上端側に、すなわち腕部１２７に対して載置部１２５側とは反対側に設けられている。載置部１２５には、本体３が載置される面である載置面１２６が設けられている。載置部１２５及び腕部１２７のそれぞれは、図７（ａ）中のＡ視方向における側面図である図７（ｂ）に示すように、ベース部１２１の背面１３１に、この背面１３１から、図７（ｂ）中の矢印Ｃ方向である後方に向かって延びている。
【００３５】
載置部１２５及び腕部１２７は、図７（ｂ）で見て、載置部１２５がベース部１２１の下端側に設けられ、腕部１２７がベース部１２１の上端側に設けられている。つまり、腕部１２７は、ベース部１２１から、載置部１２５に相対して延びている。この腕部１２７は、載置部１２５に本体３が載置されたときに本体３を介して載置部１２５に相対する側で本体３を支える。
【００３６】
これらの載置部１２５及び腕部１２７には、それぞれベース部１２１とは反対側の先端部に、互いに向かい合う方向に凸となる突条部１３３及び１３５のそれぞれが形成されている。これらの突条部１３３及び１３５は、それぞれ、図７（ａ）に示す幅方向Ｈに沿って延びている。
【００３７】
腕部１２７には、図７（ｂ）に示すように、ねじ１３７が後述するねじ穴に、この図で見て上方から下方に向けてはめられている。ねじ１３７の腕部１２７から突出する先端には、ゴムやエラストマなどの弾性体で構成されるパッド１３９が設けられている。パッド１３９は、ねじ１３７が時計方向に回転されると載置部１２５に近づく方向に変位し、ねじ１３７が反時計方向に回転されると載置部１２５から遠ざかる方向に変位する。また、載置部１２５には、底面１４１に、この底面１４１から、図７（ｂ）で見て下方に向かって、すなわち台座１０１側に向かって凸となる突起１４３が形成されている。
【００３８】
ホルダ１１は、分解斜視図である図８に示すように、ホルダ１１の心金である板金１５１と、第１樹脂部品１５３と、第２樹脂部品１５５と、第３樹脂部品１５７と、第４樹脂部品１５９とを備えている。板金１５１は、上述したベース部１２１と、把持部１２３の心金となる部位である把手部１２３ａと、載置部１２５の心金となる部位である載置部１２５ａと、腕部１２７の心金となる部位である腕部１２７ａとを有している。なお、腕部１２７ａには、前述したねじ１３７が係合するねじ穴１６１が形成されている。
【００３９】
この板金１５１は、ベース部１２１と、把手部１２３ａと、載置部１２５ａと、腕部１２７ａとが、継ぎ目のない状態で一体的に形成されている。つまり、ホルダ１１は、ベース部１２１と、載置部１２５と、腕部１２７と、把持部１２３とにわたって一体的に形成された心金を備えている。このような板金１５１は、プレス加工によって形成され得る。
【００４０】
第１樹脂部品１５３は、板金１５１の把手部１２３ａを正面側から覆う。第２樹脂部品１５５は、把手部１２３ａ及びベース部１２１を背面側から覆う。なお、第２樹脂部品１５５には、板金１５１の載置部１２５ａが整合する部位に切欠き１６３が形成されており、腕部１２７ａが整合する部位に貫通孔１６５が形成されている。従って、板金１５１を第２樹脂部品１５５で背面側から覆うと、板金１５１の載置部１２５ａ及び腕部１２７ａは、切欠き１６３及び貫通孔１６５のそれぞれを介して、背面１３１から突出した状態となる。
【００４１】
そして、背面１３１から突出した載置部１２５ａには、第３樹脂部品１５７が被せられ、背面１３１から突出した腕部１２７ａには、第４樹脂部品１５９が被せられる。第４樹脂部品１５９には、腕部１２７ａのねじ穴１６１に整合する部位に貫通孔１６７が形成されている。そして、前述したねじ１３７は、この貫通孔１６７を介して腕部１２７ａのねじ穴１６１にはめられる。また、パッド１３９は、ねじ穴１６１にはめられたねじ１３７の先端に固定される。
【００４２】
上記の構成を有するホルダ１１は、図７（ａ）に示す貫通孔１２９に挿入された図示しないねじによって、ベース部１２１がスタンド９の支柱１０３の背面１０４に固定される。このときホルダ１１は、載置部１２５が台座１０１から浮いた状態で、すなわち載置部１２５と台座１０１との間に隙間を有した状態で固定される。
【００４３】
そして、支柱１０３に固定されたホルダ１１には、図１のＡ視方向における側面図である図９（ａ）、及び図９（ａ）の後方からの斜視図である図９（ｂ）に示すように、本体３が収容される。このとき、本体３は、ホルダ１１の載置部１２５と腕部１２７との間に、ホルダ１１の側方から挿入される。つまり、本体３は、載置部１２５に載置された状態で、本体３を介して載置部１２５に相対する側で腕部１２７によって支えられる。そして、本体３は、ねじ１３７が時計方向に回転されることで、パッド１３９と載置部１２５とに挟持される。このようにして、本体３は、ホルダ１１に収容された状態で固定される。
【００４４】
なお、ホルダ１１は、ＨＤＤ２７やＯＤＤ２９が略水平状態もしくは略垂直状態となるように本体３を保持する。ＨＤＤ２７やＯＤＤ２９を略水平状態もしくは略垂直状態に保つことで、これらＨＤＤ２７やＯＤＤ２９の動作における信頼性を良好な状態に維持することができる。
【００４５】
本体３にケーブル７１ａを介して接続されるＡＣアダプタ７１は、載置部１２５の底面１４１と、支柱１０３と、台座１０１とによって囲まれる領域に収容され得る。ＡＣアダプタ７１は、載置部１２５の底面１４１と、支柱１０３と、台座１０１とによって囲まれる領域に側方から挿入される。このとき、支柱１０３の背面１０４に設けられている滑り止め１０５は、ＡＣアダプタ７１に相対する。つまり、滑り止め１０５は、ＡＣアダプタ７１と支柱１０３の背面１０４との間に設けられている。
【００４６】
また、載置部１２５は、ＡＣアダプタ７１が底面１４１と、支柱１０３と、台座１０１とによって囲まれる領域に収容されたときに、このＡＣアダプタ７１を後方にまたぐ長さを有している。そして、載置部１２５の底面１４１に設けられている突起１４３は、ベース部１２１を起点として、このＡＣアダプタ７１を越えた位置に設けられている。つまり、ＡＣアダプタ７１は、この突起１４３と、底面１４１と、支柱１０３と、台座１０１とによって囲まれる領域に収容され得る。
【００４７】
このため、ＡＣアダプタ７１は、突起１４３によって、後方への脱落が妨げられる。このようにして、本体３と、表示装置５と、ＡＣアダプタ７１とは、スタンド９及びホルダ１１によって一体的に配置され得る。
【００４８】
ここで、スタンド９の台座１０１には、斜視図である図１０に示すように、突起１７１と、溝１７３が設けられている。突起１７１は、台座１０１の天板面１７５において支柱１０３よりも前方に位置しており、天板面１７５から上方に向かって凸となるように設けられている。溝１７３は、天板面１７５において突起１７１よりも前方に位置しており、台座１０１の幅方向Ｈにおける全幅にわたって延びている。
【００４９】
また、キーボード５７には、底面図である図１１に示すように、底面１８１に、窪み１８３とゴム足１８５が設けられている。ゴム足１８５は、窪み１８３よりも、図中のＤ方向である前方に位置しており、底面１８１から突出して設けられている。
【００５０】
このキーボード５７は、図１２に示すように、表示装置５と台座１０１との間に収容され得る。キーボード５７が表示装置５と台座１０１との間に収容されると、図１０に示す突起１７１と、図１１に示す窪み１８３とが係合し、ゴム足１８５が溝１７３に係合する。これにより、キーボード５７を収容した状態で把持部１２３を吊り上げても、図１１に示す窪み１８３の側壁１８７が突起１７１に引っかかるとともに、ゴム足１８５が溝１７３に引っかかるため、キーボード５７が前方に滑落しにくくすることができる。
【００５１】
なお、本実施形態において、ホルダ１１が把手具に対応している。
【００５２】
本実施形態のコンピュータ１では、本体３と表示装置５とＡＣアダプタ７１とを、スタンド９及びホルダ１１を介して一体的にまとめることができる。従って、例えば、コンピュータ１を移動させるときに、本体３と表示装置５とＡＣアダプタ７１とをまとめて移動させることが可能となる。これにより、コンピュータ１の移動を容易にすることができる。
【００５３】
また、本実施形態では、ホルダ１１に把持部１２３が設けられているため、把持部１２３を把持して、本体３と表示装置５とＡＣアダプタ７１とをまとめて容易に持ち上げることが可能となる。従って、コンピュータ１の移動が一層容易になる。
【００５４】
また、本実施形態では、ホルダ１１の載置部１２５及び腕部１２７に、それぞれ幅方向Ｈに沿って延びる突条部１３３及び１３５が形成されている。このため、載置部１２５に載置された本体３が図７（ｂ）中のＣ方向である後方に傾いても、本体３が突条部１３５に引っ掛かって本体３の転倒が防止される。また、本体３が載置部１２５から後方に滑っても、本体３が突条部１３３に引っ掛かって本体３の後方への滑落が防止される。
【００５５】
また、本実施形態では、腕部１２７にねじ１３７が設けられている。このため、載置部１２５に本体３を載置した状態で、ねじ１３７をしめることで、本体３を載置面１２６に付勢することができ、本体３を固定することができる。これにより、コンピュータ１を移動させる際に、載置部１２５から本体３が滑落しにくくすることができる。さらに、ねじ１３７の先端には、ゴムやエラストマなどの弾性体で構成されるパッド１３９が設けられているため、ねじ１３７の先端で本体３を傷つけてしまうことを抑制することができる。
【００５６】
また、本実施形態では、表示装置５とスタンド９の台座１０１との間にキーボード５７を収容することができるため、本体３と表示装置５とＡＣアダプタ７１とキーボード５７とをまとめて容易に持ち上げることが可能となる。従って、コンピュータ１の移動が一層容易になる。さらに、キーボード５７を表示装置５と台座１０１との間に収容したときに、キーボード５７の窪み１８３と台座の突起１７１とが係合し、キーボード５７のゴム足１８５と台座の溝１７３とが係合するため、キーボード５７が前方に滑落しにくくすることができる。これにより、コンピュータ１の移動が一層容易になる。
【００５７】
また、本実施形態では、ホルダ１１の心金である板金１５１は、ベース部１２１と、把手部１２３ａと、載置部１２５ａと、腕部１２７ａとが、継ぎ目のない状態で一体的に形成されている。従って、ホルダ１１の把持部１２３を把持して、本体３と表示装置５とＡＣアダプタ７１とをまとめて持ち上げたときにホルダ１１にかかる荷重に耐え得る強度を確保することが可能となる。
【００５８】
また、本実施形態では、ホルダ１１は、板金１５１を第１〜第４樹脂部品１５３、１５５、１５７及び１５９で包んだ構成を有している。従って、把持部１２３を握りやすくすることができるとともに、把持部１２３を把持する手を板金１５１から保護することができる。
【００５９】
また、本実施形態では、ホルダ１１の載置部１２５には、底面１４１に突起１４３が設けられているため、本体３と表示装置５とＡＣアダプタ７１とをまとめて持ち上げたときに、ＡＣアダプタ７１を後方から脱落しにくくすることができる。これにより、コンピュータ１を一層容易に移動することが可能となる。
【００６０】
さらに、支柱１０３の背面１０４には、ＡＣアダプタ７１に相対する部位に、滑り止め１０５が設けられているので、ＡＣアダプタ７１を側方から滑落しにくくすることが可能となる。これにより、コンピュータ１を一層容易に移動させやすくすることができる。
【００６１】
また、本実施形態では、滑り止め１０５がゴムやエラストマなどの弾性体でシート状に形成されている。従って、ＡＣアダプタ７１と支柱１０３との間の衝突や衝撃がやわらげられるとともに、ＡＣアダプタ７１と支柱１０３との間にわずかなスペースを確保するだけで滑り止め１０５を設けることができる。また、滑り止め１０５の厚みを調整することで、ＡＣアダプタ７１を、滑り止め１０５と突起１４３との間にしまりばめで固定することができる。これにより、コンピュータ１を一層容易に移動することが可能となる。
【００６２】
また、本実施形態では、ホルダ１１とスタンド９とが別体で構成されているため、ホルダ１１の交換を容易にすることができる。これにより、例えば、本体３を新たな別の機種に交換したいときに、その別の機種が本体３とは異なる寸法を有していても、ホルダ１１を別の機種に適合する別のホルダに交換すれば、表示装置５及びスタンド９をそのまま使用することができる。従って、交換にかかる費用を低く抑えることが可能となる。
【００６３】
なお、本実施形態では、支柱１０３の背面１０４に滑り止め１０５を設けるようにしたが、これに限定されず、ＡＣアダプタ７１に相対する部位であれば、載置部１２５の底面１４１、突起１４３及び台座１０１のうちのいずれに設けてもよい。また、滑り止め１０５を設ける箇所は、支柱１０３の背面１０４の１箇所に限定されず、支柱１０３の背面１０４、載置部１２５の底面１４１、突起１４３及び台座１０１のうちのいずれか２つ以上に設けてもよい。
【００６４】
また、本実施形態では、本体３をホルダ１１の載置部１２５と腕部１２７との間に収容した状態で、ねじ１３７を回転させて本体３をパッド１３９と載置部１２５とに挟持することで本体３をホルダ１１に固定するようにしたが、固定方法はこれに限定されない。本体３と載置部１２５との間に、例えばゴムやエラストマシートなどの滑り止めを設けて、パッド１３９とこのシートとに本体３を挟持させてもよい。この構成によれば、本体３と載置部１２５との間の滑りを低く抑えることができ、ホルダ１１による本体３の保持力を向上させることが可能となる。
【００６５】
なお、上記のシートに代えて、本体３の底面図である図１３に示す給排気孔１９１に整合する突起を載置部１２５に設けてもよい。この場合、本体３は、載置部１２５に設けられた突起を本体３の給排気孔１９１に嵌入させた状態でねじ１３７を回転させることにより、ホルダ１１に固定される。この構成によれば、ねじ１３７が緩んでしまっている状態で、ホルダ１１の把持部１２３を吊り上げても、給排気孔１９１が突起にはまっているので、本体３を滑落しにくくすることができ、安全性の向上が図られる。
【００６６】
なお、本実施形態では、本体３に多数の給排気孔１９１が配列形成されている。給排気孔１９１にはまる突起は、少なくとも１つだけあれば本体３を滑落しにくくすることができる。しかし、突起の数を多くすれば、１つの突起にかかる荷重を低減することができ、突起の破損を低く抑えることができるので、突起の数を多くすることは好ましい。その反面で、突起の数を多くすると、多くの突起と多くの給排気孔１９１とを整合させなければならないため、本体３をホルダ１１に配置しにくくなる。つまり、ホルダ１１に対する本体３の配置のしやすさという観点では、突起の数が少ない方が好ましい。そこで、給排気孔１９１にはまる突起の数については、突起の強度と、ホルダ１１に対する本体３の配置のしやすさとを考慮して、適宜決定すればよい。
【００６７】
また、本実施形態では、情報機器としてパーソナルコンピュータを例に説明したが、情報機器はこれに限定されない。情報機器としては、例えば、表示装置５としてのテレビジョン受像機と、本体３としての受信チューナーとの組み合わせや、表示装置５と、本体３としてのビデオテーププレーヤ、ＤＶＤプレーヤなどとの組み合わせ等の種々の機器の組み合わせが考えられる。なお、上記の受信チューナーとしては、衛星放送用の受信チューナーや、地上波デジタル放送用の受信チューナーなどがある。
【図面の簡単な説明】
【００６８】
【図１】本発明の実施形態におけるコンピュータの概略の構成を示す斜視図。
【図２】本発明の実施形態におけるコンピュータの概略の構成を示すブロック図。
【図３】本発明の実施形態におけるコンピュータの本体の外観を示す図。
【図４】本発明の実施形態におけるコンピュータの表示装置の外観を示す図。
【図５】本発明の実施形態におけるコンピュータのスタンドの外観を示す図。
【図６】本発明の実施形態におけるコンピュータの表示装置のチルト調整を説明する図。
【図７】本発明の実施形態におけるコンピュータのホルダの外観を示す図。
【図８】本発明の実施形態におけるコンピュータのホルダの分解斜視図。
【図９】本発明の実施形態において、本体、表示装置及びＡＣアダプタを一体的に配置した状態を示す外観図。
【図１０】本発明の実施形態におけるコンピュータのスタンドの外観を示す斜視図。
【図１１】本発明の実施形態におけるコンピュータに適用可能なキーボードの底面図。
【図１２】本発明の実施形態におけるコンピュータの表示装置とスタンドの台座との間にキーボードを収容した状態を示す斜視図。
【図１３】本発明の実施形態におけるコンピュータの本体の底面図。
【符号の説明】
【００６９】
１…コンピュータ、３…本体、５…表示装置、９…スタンド、１１…ホルダ、７１…ＡＣアダプタ、９２…表示面、９４…背面、１０１…台座、１０３…支柱、１０４…背面、１０５…滑り止め、１２１…ベース部、１２３…把持部、１２５…載置部、１２７…腕部、１３３…突条部、１３５…突条部、１３７…ねじ、１３９…パッド、１４１…底面、１４３…突起、１５１…板金、１５３…第１樹脂部品、１５５…第２樹脂部品、１５７…第３樹脂部品、１５９…第４樹脂部品。
【図１】
2008176599.tif 000003
【図２】
2008176599.tif 000004
【図３】
2008176599.tif 000005
【図４】
2008176599.tif 000006
【図５】
2008176599.tif 000007
【図６】
2008176599.tif 000008
【図７】
2008176599.tif 000009
【図８】
2008176599.tif 000010
【図９】
2008176599.tif 000011
【図１０】
2008176599.tif 000012
【図１１】
2008176599.tif 000013
【図１２】
2008176599.tif 000014
【図１３】
2008176599.tif 000015